(57)【特許請求の範囲】
【請求項１】
コンプレッサアセンブリ（Ｃ）と、
前記コンプレッサアセンブリ（Ｃ）に流体接続可能な封止流体キャニスタアセンブリ（３）と、
前記コンプレッサアセンブリ（Ｃ）の吐出側に接続された圧力センサ（２５）と、
前記圧力センサ（２５）によって発生された圧力信号（Ｐ）を表示するための表示デバイス（２７）と、を具備する、膨張可能な物品を修理し膨張させるためのキットにおいて、
前記圧力センサ（２５）と前記表示デバイス（２７）との間に接続され、所定の時間間隔の間、前記表示デバイス（２７）への前記信号（Ｐ）を遮断するように設計された制御手段（２６）を具備することを特徴とするキット。
【請求項２】
前記時間間隔は、前記コンプレッサアセンブリ（Ｃ）が駆動される瞬間を含むことを特徴とする請求項１のキット。
【請求項３】
前記制御手段（２６）は、タイマを有することを特徴とする請求項１又は２のキット。
【請求項４】
前記キャニスタアセンブリ（３）と並列に、前記コンプレッサアセンブリ（Ｃ）に接続されたホース（８）と、
前記キャニスタアセンブリ（３）と前記ホース（８）とにそれぞれ接続された２つの入口と、前記圧力センサ（２５）に接続された出口と、を有する流体デバイス（２４）と、を有し、前記流体デバイス（２４）は、前記圧力センサ（２５）が前記キャニスタアセンブリ（３）と前記ホース（８）との間で比較的高い圧力の導管（２２，２３）に常に接続されているようにすることを特徴とする請求項１ないし３のいずれか１のキット。
【請求項５】
前記制御手段（２６）は、前記流体デバイス（２４）の設定を決定するように設計されていることを特徴とする請求項４のキット。
【請求項６】
前記制御手段（２６）は、前記キャニスタアセンブリ（３）が空であるときのみ、前記信号（Ｐ）を伝送するように設計されていることを特徴とする請求項１ないし５のいずれか１のキット。
【請求項７】
前記表示デバイス（２７）は、スクリーンであり、
前記制御手段（２６）は、電気式又は電子式であることを特徴とする請求項１ないし６のいずれか１のキット。
【請求項８】
請求項１ないし７のいずれか１のキットを制御する方法であって、
前記表示デバイス（２７）が前記圧力信号（Ｐ）を表示しない遮断工程と、
前記遮断工程に続き、前記圧力信号（Ｐ）の値が前記表示デバイス（２７）に表示される表示工程と、を具備することを特徴とする方法。
【発明の詳細な説明】
【技術分野】
【０００１】
本発明は、膨張可能な物品を修理し膨張させるための、改良されたゲージを備えたキットに関する。
【背景技術】
【０００２】
最近のマーケットのトレンドは、ハブからタイヤを取り外すことなく、乗物のスペアのホイールを、パンクしたタイヤを修理し膨張させるためのキットと取り替えることである。
【０００３】
このようなキットは、通常は、電力供給口（power outlet）に接続可能なコンプレッサと、コンプレッサとパンクしたタイヤとの間に直列に（連続して）接続可能な、封止流体のキャニスタと、を有する。
【０００４】
タイヤがパンクしたとき、コンプレッサは、封止流体を注入して、このタイヤを膨張させる。
【０００５】
このようなコンプレッサには、修理されるタイヤの圧力を制御するためのゲージが装備されている。
【０００６】
タイヤを修理するとき、このようなゲージに表示される圧力は、変動し、高いピークを示す。これは、ユーザに、キットが適切に動作していなかったり、タイヤが修理されることができなかったりするという印象を与えることがわかっている。
【発明の概要】
【０００７】
本発明の目的は、上述の欠点をなくすことを意図したキットを提供することである。
【０００８】
本発明によれば、請求項１に規定されるようなキット、及び請求項８に規定されるような方法が提供される。
【０００９】
本発明の、好ましい、限定的でない実施の形態が、添付図面を参照して、例によって示される。
【図面の簡単な説明】
【００１０】
【図１】図１は、本発明に係るキットの斜視図である。
【図２】図２は、図１のキットの回路図である。
【図３】図３は、コンプレッサの動作時間の関数としての圧力の特性を示すグラフである。
【発明を実施するための形態】
【００１１】
図１の参照符号１は、膨張可能な物品を修理し膨張させるためのキット全体を示しており、このキット１は、ケーシング２と、ケーシング２内に収容されたコンプレッサアセンブリＣ（図２に概略的に示される）と、コンプレッサアセンブリＣに取り外し可能に接続されたキャニスタアセンブリ３と、を有する。
【００１２】
特に、ケーシング２は、コンプレッサアセンブリＣを収容するための実質的に平行六面体形状の部分４と、キャニスタアセンブリ３を少なくとも部分的に収容するための座部を規定するように、前記部分４の前面から突出している突出部分５と、を有する。
【００１３】
キャニスタアセンブリ３は、タイヤのパンクしてできた穴（puncture）の修理用の封止流体を含み、また、使用の際、下向きにひっくり返されるボトル６と、前記封止流体をタイヤに供給するようにボトル６に接続されたホース７と、を有する。
【００１４】
また、キット１は、封止流体を注入することなくタイヤを膨張させるように、コンプレッサアセンブリＣに直接接続された第２のホース８を有する。さらにまた、キット１は、ホース７とボトル６とがコンプレッサアセンブリＣに接続される修理モードと、ホース８がコンプレッサアセンブリＣに接続される圧力規制及び膨張モードと、コンプレッサアセンブリＣのＯＦＦモードと、を選択するためのノブ９を有する。
【００１５】
図２は、キット１のケーシング２の内部の流体回路を示す図である。コンプレッサアセンブリＣの吐出側は、ケーシング２の内部の導管２１によって、１つの入口、２つの出口バルブに接続されている。
【００１６】
バルブ２０は、ノブ９によって切り替えられ、タイヤを修理するためにボトル６に、又は膨張可能な物品を膨張させるためにホース８に、圧縮された空気流を直接向けるように設けられている。
【００１７】
特に、バルブ２０の一方の出口は、ケーシング２の内部の導管２２によってボトル６の入口に接続されており、また、他方の出口は、ケーシング２の内部の導管２３によってホース８に接続されている。それ故、これら導管２２、２３は、バルブ２０に対して並列に接続されている。
【００１８】
また、キット１は、それぞれ、導管２２、２３に接続された２つの入口と、圧力センサ２５に接続された出口とを有するＯＲ流体部材２４を有する。
【００１９】
それ故、圧力センサ２５は、比較的高い圧力の導管２２、２３に常に接続されている。
【００２０】
圧力センサ２５は、ケーシング２の内部の制御デバイス２６に信号Ｐを送信する。
【００２１】
好ましい一実施の形態では、信号Ｐは、電気式であり、また、制御デバイス２６は、電気式又は電子式であり、コンプレッサアセンブリＣに電力を供給するプラグＳによって電力を供給される。
【００２２】
また、キット１は、センサ２５によって測定される圧力を表示するための制御デバイス２６に接続されたＬＣＤスクリーン２７を有し、これによって、コンプレッサアセンブリＣのユーザの最適動作を可能にする。
【００２３】
本発明の好ましい一実施の形態では、制御デバイス２６は、コンプレッサアセンブリＣが修理モードで動作されているとき、すなわち、コンプレッサアセンブリＣがキャニスタアセンブリ３に接続されているとき、圧力信号Ｐがスクリーン２７のみに表示されるように設計されている。
【００２４】
また、制御デバイス２６は、好ましくは、コンプレッサアセンブリがユーザによって動作されたときに駆動される、タイマとして動作するカウンタを特徴とする。制御デバイス２６は、カウンタが所定の閾値に達するまで、センサ２５によって測定される圧力を表示しないようにプログラムされている。言い換えれば、制御デバイス２６は、カウンタが閾値に達するまで、圧力信号Ｐの表示を遮断する。
【００２５】
閾値は、キットが製造されたときにプログラムされており、圧力信号が安定する時間間隔を示している。コンプレッサアセンブリＣの空気流及びボトル６の容積が与えられると、この時間間隔は、容易に計算されることができる。
【００２６】
また、制御デバイス２６は、流体部材２４の設定を決定するように設定されており、ホース８が膨張可能な物品に接続されたとき、カウンタは、動作することができず、たとえコンプレッサアセンブリＣのスイッチが入っていないとしても、圧力信号がスクリーン２７に伝送される。このようにして、ユーザは、コンプレッサアセンブリＣのスイッチを入れることなく、膨張可能な物品の圧力をチェックすることができる。
【００２７】
圧力センサ２５からの信号は、ボトル６がほとんど又は完全に空であったとき、実際のタイヤの圧力を実質的に示すことがわかっている。
【００２８】
図３は、圧力センサ２５によって測定された圧力の特性のグラフを示している。第１のピークは、実際のタイヤの圧力に対応していない圧力値を示している。閾値は、スクリーン２７に圧力センサ２５による圧力測定を表示したのち、好ましくは、ボトル６が空であるときに実質的に対応している最小点付近に設定される。
【００２９】
本発明の効果は、キット１の上の記載から明らかであろう。
【００３０】
特に、スクリーン２７への圧力値の表示を遅らせることは、修理モードで動作するキット１に関して、コンプレッサアセンブリＣのスイッチが入るとすぐに示されるよりも安定な圧力値の表示を提供する。
【００３１】
流体部材２４によって、単一の圧力センサ２５が使用されることができる。
【００３２】
制御デバイス２６で実行されるタイマを使用することは、容易に果され、製造コストを低減させる。
【００３３】
明らかに、本発明の範囲から逸脱することなく、上に説明され図示されたようなキットに変形がなされることができる。
【００３４】
特に、制御デバイスは、機械式であることができ、また、スクリーン類推物（screen analogical）であることができる。
【００３５】
また、制御デバイス２６は、圧力信号Ｐがまず表示され、そして、一時的に表示されず、最終的に再び表示されるようにプログラムされてもよい。この場合でも、制御デバイス２６は、スクリーン２７への圧力信号の表示を遮断する。
【図１】
0005675599.tif 000002
【図２】
0005675599.tif 000003
【図３】
0005675599.tif 000004